(57)【要約】【課題】収穫部における収穫対象物のロスを抑制する手段を用いた場合にも、植立作物の切断を良好に行い易い収穫機を提供しようとするものである。【解決手段】収穫部の先端部で刈幅方向における端部位置にデバイダ９Ｌ，９Ｒが設けられ、デバイダ９Ｌ，９Ｒに、先端部が前方に向けて延びる縦壁１６，１８と、縦壁１６，１８の底部から刈幅方向での中央側向きに張り出して縦壁１６，１８で区分けされた領域の作物を刈幅内へ案内するガイド板１７，１９と、が備えられた。【選択図】  図８
2019198304.tif 000002
【特許請求の範囲】
【請求項１】
機体前部に、植立作物を掻き込みながら収穫する収穫部が備えられた収穫機であって、
前記収穫部の先端部で刈幅方向における端部位置にデバイダが設けられ、
前記デバイダに、先端部が前方に向けて延びる縦壁と、前記縦壁の底部から刈幅方向での中央側向きに張り出して前記縦壁で区分けされた領域の作物を刈幅内へ案内するガイド板と、が備えられた収穫機。
【請求項２】
前記収穫部には、前記デバイダを支持する収穫部フレームが備えられ、
前記ガイド板には、刈幅方向中央側の端縁における前部箇所に、前方から後方に向かうほど、刈幅方向の端部から刈幅方向の中央に位置する傾斜案内縁が形成され、
前記ガイド板の前部が刈幅方向の横外側で前記縦壁に固定され、前記ガイド板の後部が刈幅方向中央側で前記収穫部フレームに固定されている請求項１記載の収穫機。
【請求項３】
前記収穫部フレームには、植立作物切断用の切断装置を支持する横フレームが刈幅方向に沿って設けられ、
前記横フレームに、前記ガイド板の後部における刈幅方向中央側が支持されている請求項２記載の収穫機。
【請求項４】
前記収穫部に、植立作物を切断する切断装置と、前記切断装置の上方を通って前記切断装置よりも前側まで延びると共に刈幅方向に間隔をあけて設けられる複数の受け部材と、が備えられ、
前記受け部材のうち、刈幅方向の端部に位置する前記受け部材が、前記ガイド板との間に茎稈の通過を許容する間隔を備えた状態で設けられている請求項２又は３記載の収穫機。
【請求項５】
前記収穫部フレームには、前記切断装置を支持する横フレームが刈幅方向に沿って設けられ、
前記受け部材を支持する支持部材が左右に並設された状態で前記横フレームに取り付けられ、
前記支持部材のうち、刈幅方向での最外側に位置する受け部材を支持する支持部材よりも横外方に位置する支持部材に前記ガイド板が支持されている請求項４記載の収穫機。
【請求項６】
前記縦壁が、上下方向で前記収穫部フレームの側壁上端よりも高い位置にまで延出され、かつ前記側壁の上方を前後方向で前記切断装置の存在箇所よりも後側にまで延出されている請求項３〜５の何れか一項記載の収穫機。
【請求項７】
前記ガイド板の上方に、植立作物の茎部を刈幅内に案内するガイド棒が設けられている請求項１〜６の何れか一項記載の収穫機。
【発明の詳細な説明】
【技術分野】
【０００１】
本発明は、機体前部に、植立作物を掻き込みながら収穫する収穫部が備えられた収穫機に関する。
【背景技術】
【０００２】
上記のような収穫機として、例えば、特許文献１に記載の収穫機が既に知られている。
特許文献１に記載の収穫機では、収穫部（文献では「刈取部」）に、植立作物に掻込作用するタインを有する掻込リールと、植立作物の茎稈を切断する切断装置（文献では「刈取装置」）と、切断装置よりも前側まで延びると共に刈幅方向に間隔をあけて設けられる複数の受け部材と、が備えられている。
【先行技術文献】
【特許文献】
【０００３】
【特許文献１】特開２０１７−０３５０１４号公報
【発明の概要】
【発明が解決しようとする課題】
【０００４】
上記の特許文献１に示されているように、切断装置よりも前側まで延びる複数の受け部材を備えた構造のものでは、収穫部が植立作物を掻き込む際に、掻込作用するタインに接触した作物が茎稈部分から離脱して落下したとしても、複数の受け部材で作物を受け止めて回収可能であることにより、収穫対象物が切断装置の前側の地面に落下してしまって、ロスが生じる、という可能性を大幅に低減できる点で有用なものである。
しかしながら、この構造のものでは、次の点で改善の余地がある。
この構造では、茎稈部分から離脱した作物を受け止める目的で複数の受け部材が刈取対象領域の左右方向での全幅にわたって設けられている。しかし、植立作物を分草するデバイダとしては、棒状部材で構成された第一ガイド部材と第二ガイド部材が用いられており、これらは、前端側では受け部材の受け止め面と同程度の低い位置に取り付けられているが、後端側は後方斜め上方へ向かって延出されている。その結果、受け部材の受け止め面と第一ガイド部材及び第二ガイド部材によるガイド位置との間には上下方向の間隔が生じている。
このため、植立作物の刈取作業を行う際に、第一ガイド部材及び第二ガイド部材による分草後の植立作物の茎稈部分が、刈取対象領域の最外側に位置する受け部材と、デバイダを支持するフレーム部分との間に入り込んでしまうことを完全には排除できないので、入り込んだ茎稈部分が、うまく切断されずに引きちぎられてしまう可能性がある。
【０００５】
本発明は、収穫部における収穫対象物のロスを抑制するための手段を用いた場合にも、植立作物の切断を良好に行い易い収穫機を提供しようとするものである。
【課題を解決するための手段】
【０００６】
本発明の特徴は、機体前部に、植立作物を掻き込みながら収穫する収穫部が備えられた収穫機であって、前記収穫部の先端部で刈幅方向における端部位置にデバイダが設けられ、前記デバイダに、先端部が前方に向けて延びる縦壁と、前記縦壁の底部から刈幅方向での中央側向きに張り出して前記縦壁で区分けされた領域の作物を刈幅内へ案内するガイド板と、が備えられたことにある。
【０００７】
本構成によれば、デバイダ自体に、先端部が前方に向けて延びる縦壁と、縦壁の底部から刈幅方向での中央側向きに張り出して縦壁で区分けされた領域の作物を刈幅内へ案内するガイド板とを備えさせているので、縦壁とガイド板の間には間隙がない。したがって、縦壁で分草された作物をそのままガイド板で刈幅内へ案内し、確実に切断することができる。
これにより、茎稈の引きちぎりを生じる可能性を極力低減し、茎稈の引きちぎりに伴う作物のロスを招く虞が少ない。
【０００８】
さらに、本発明において、前記収穫部には、前記デバイダを支持する収穫部フレームが備えられ、前記ガイド板には、刈幅方向中央側の端縁における前部箇所に、前方から後方に向かうほど、刈幅方向の端部から刈幅方向の中央に位置する傾斜案内縁が形成され、前記ガイド板の前部が刈幅方向の横外側で前記縦壁に固定され、前記ガイド板の後部が刈幅方向中央側で前記収穫部フレームに固定されていると好適である。
【０００９】
本構成によれば、刈幅方向中央側の端縁に傾斜案内縁が形成されて、植立作物の案内を行うように構成されたガイド板は、その後部位置において、縦壁に固定されたガイド板の前部よりも刈幅方向中央側で収穫部フレームに固定されている。
したがって、傾斜案内縁が形成されている刈幅方向で最も中央側に近い箇所の強度が向上され、植立作物と接触して受ける外力に抗し易くなっている。
【００１０】
さらに、本発明において、前記収穫部フレームには、植立作物切断用の切断装置を支持する横フレームが刈幅方向に沿って設けられ、前記横フレームに、前記ガイド板の後部における刈幅方向中央側が支持されていると好適である。
【００１１】
本構成によれば、切断装置を支持する横フレームを利用して、ガイド板の後部における刈幅方向中央側を支持しているので、切断装置の支持用として存在し、しかも比較的強固に構成されている横フレームを、ガイド板の後部における支持手段にも兼用でき、構造の複雑化を避けながら強固に構成し易い。
【００１２】
さらに、本発明において、前記収穫部に、植立作物を切断する切断装置と、前記切断装置の上方を通って前記切断装置よりも前側まで延びると共に刈幅方向に間隔をあけて設けられる複数の受け部材と、が備えられ、前記受け部材のうち、刈幅方向の端部に位置する前記受け部材が、前記ガイド板との間に茎稈の通過を許容する間隔を備えた状態で設けられていると好適である。
【００１３】
本構成によれば、収穫部が植立作物を掻き込む際に、掻込作用するタインに接触した収穫対象物が植立作物から離脱したとしても、収穫対象物が切断装置の前側の地面に落下する前に、受け部材によって受け止められる。これにより収穫対象物のロスを抑制し得る。
そして、刈幅方向の端部に位置する受け部材と、ガイド板との間に茎稈の通過を許容する間隔が存在することで、ガイド板が実質的に刈幅方向の最外側に位置する受け部材としての役割を果たし、植立作物の案内を良好に行うことができる。
【００１４】
さらに、本発明において、前記収穫部フレームには、前記切断装置を支持する横フレームが刈幅方向に沿って設けられ、前記受け部材を支持する支持部材が左右に並設された状態で前記横フレームに取り付けられ、前記支持部材のうち、刈幅方向での最外側に位置する受け部材を支持する支持部材よりも横外方に位置する支持部材に前記ガイド板が支持されていると好適である。
【００１５】
本構成によれば、受け部材を支持する支持部材を利用してガイド板が支持されている。したがって、受け部材を支持する支持部材をガイド板の支持手段として活用し、部材の兼用化による構造の簡素化を図ることができる。
【００１６】
さらに、本発明において、前記縦壁が、上下方向で前記収穫部フレームの側壁上端よりも高い位置にまで延出され、かつ前記側壁の上方を前後方向で前記切断装置の存在箇所よりも後側にまで延出されていると好適である。
【００１７】
本構成によれば、切断箇所の前後にわたる広範囲で、横外方側への作物のこぼれ落ちを抑制し易い。
【００１８】
さらに、本発明において、前記ガイド板の上方に、植立作物の茎部を刈幅内に案内するガイド棒が設けられていると好適である。
【００１９】
本構成によれば、ガイド板による植立作物の案内作用に加えてガイド棒による案内作用も行われるので、植立作物の案内をより円滑に行い易い。
【図面の簡単な説明】
【００２０】
【図１】普通型コンバインを示す左側面図である。
【図２】普通型コンバインを示す平面図である。
【図３】収穫部を示す左側面図である。
【図４】掻込リールを示す左側面図である。
【図５】掻込リールを示す正面図である。
【図６】タインを示す正面図である。
【図７】タインを示す左側面断面図である。
【図８】切断装置及び受け板を示す平面図である。
【図９】切断装置及び受け板を示す左側面断面図である。
【図１０】受け板を示す平面図である。
【図１１】受け板がステーに取り付けられた状態を示す背面図である。
【図１２】ステーを示す平面図である。
【図１３】ステーを示す左側面断面図である。
【図１４】ステーを示す斜視図である。
【図１５】収穫部の左側部を示す平面図である。
【図１６】収穫部の右側部を示す平面図である。
【図１７】収穫部の右側部を示す側面図である。
【図１８】後部メッシュ部材を示す正面図である。
【図１９】底カバーを示す底面図である。
【図２０】底カバーを示す断面図である。
【図２１】収穫部を上昇させた状態を示す左側面図である。
【図２２】収穫部の左側部を示す斜視図である。
【図２３】別実施形態に係る収穫部の右側部を示す斜視図である。
【発明を実施するための形態】
【００２１】
本発明を実施するための形態について、図面に基づき説明する。なお、以下の説明では、図１及び図２に示す矢印Ｆの方向を「機体前側」、矢印Ｂの方向を「機体後側」、図２に示す矢印Ｌの方向を「機体左側」、矢印Ｒの方向を「機体右側」とする。
【００２２】
〔普通型コンバインの全体構成〕
図１及び図２には、本発明に係る「収穫機」としての普通型コンバインを示している。このコンバインは、稲、麦、そば、大豆、トウモロコシ等の作物を収穫することができる。なお、本実施形態では、作物としてトウモロコシを収穫する作業形態を想定している。
【００２３】
このコンバインには、クローラ式の走行装置１と、走行装置１で支持される機体フレーム２と、が備えられている。機体フレーム２の前部には、植立作物を掻き込みながら収穫する収穫部３が昇降可能に設けられている。収穫部３の後方には、運転キャビン４が設けられている。運転キャビン４の後方には、刈取作物を脱穀する脱穀装置５及び収穫粒を貯留するグレンタンク６が機体左右方向に隣り合う状態で設けられている。グレンタンク６には、グレンタンク６内の収穫粒を排出するアンローダ７が設けられている。
【００２４】
〔収穫部〕
収穫部３には、植立作物を刈取対象と非刈取対象に分ける左右一対のデバイダ９Ｌ，９Ｒと、植立作物を掻き込む掻込リール１０と、植立作物を切断する切断装置１１と、刈取作物を掻き込む掻込オーガ１２と、刈取作物を脱穀装置５に搬送するフィーダ１３と、収穫部フレーム１４と、複数の受け板１５（本発明に係る「受け部材」に相当）と、が備えられている。収穫部３では、植立作物が左右一対のデバイダ９Ｌ，９Ｒによって刈取対象と非刈取対象に分けられて、刈取対象の植立作物が掻込リール１０によって掻き込まれる。そして、掻込リール１０で掻き込まれた植立作物が切断装置１１によって切断されて、刈取作物が掻込オーガ１２によって掻き込まれて、フィーダ１３によって脱穀装置５に搬送される。
【００２５】
収穫部３の下部のうち左端部と右端部には、それぞれソリ体４８Ｌ，４８Ｒが取り付けられている。
【００２６】
〔運転キャビン〕
運転キャビン４の前面には、フロントガラス２０が設けられている。運転キャビン４には、運転座席２１、メータパネル２２、サイドパネル２３、操向レバー２４等が備え付けられている。運転座席２１の前方、メータパネル２２の下方及び操向レバー２４の下方には、それぞれ空間が形成されている。
【００２７】
〔フィーダ〕
フィーダ１３は、機体左右方向に延びる軸心Ｘ１周りで揺動可能に機体に支持されている。フィーダ１３と機体フレーム２に亘って、油圧シリンダ（図示省略）が設けられている。フィーダ１３が前記油圧シリンダによって軸心Ｘ１周りで揺動されて、収穫部３が昇降される。
【００２８】
〔収穫部フレーム〕
収穫部フレーム１４には、左右一対の側板３０Ｌ，３０Ｒ（側壁に相当する）と、刈取作物を受け入れるデッキ３１と、後板３２と、が備えられている。デッキ３１の前端部には、刈幅方向に延びて切断装置１１を支持する横フレーム３３がボルト固定されている。
【００２９】
〔掻込オーガ〕
掻込オーガ１２は、収穫部フレーム１４のうち左右一対の側板３０Ｌ，３０Ｒに回転可能に支持されている。掻込オーガ１２は、刈取作物を左スクリュ羽根３９及び右スクリュ羽根４０によってフィーダ１３の前方に横送り搬送して、掻込フィンガー４１によってフィーダ１３に掻き込むように構成されている。
【００３０】
〔切断装置〕
図８及び図９に示すように、切断装置１１は、刈幅方向に往復動するバリカン式に構成されている。切断装置１１には、刈幅方向に往復動する刈刃３４と、刈刃３４を駆動操作するナイフバー３５と、刈刃３４を保持するナイフクリップ３６と、が備えられている。ナイフクリップ３６は、横フレーム３３にボルト３７及びナット３８によって固定されている。刈刃３４がナイフバー３５によって刈幅方向に往復動されて、植立作物が刈刃３４によって切断される。
【００３１】
〔掻込リール〕
図３から図５に示すように、掻込リール１０は、その回転軸１０ａを介して、リールフレーム２５に回転可能に支持されている。リールフレーム２５は、その回転軸２５ａが収穫部フレーム１４のうち後板３２にステー２５ｂ（図２参照）によって取り付けられて、機体左右方向に延びる軸心Ｘ２周りで揺動可能に収穫部フレーム１４に支持されている。リールフレーム２５と収穫部フレーム１４に亘って、左右一対の油圧シリンダ２６が設けられている。リールフレーム２５が油圧シリンダ２６によって軸心Ｘ２周りで揺動されて、掻込リール１０が昇降される。
つまり、油圧シリンダ２６が伸長すると軸心Ｘ２周りでリールフレーム２５が収穫部フレーム１４から離れる上方側へ揺動作動し、油圧シリンダ２６が収縮すると軸心Ｘ２周りでリールフレーム２５が収穫部フレーム１４に近づく下方側へ揺動作動する。図３及び図１７は、油圧シリンダ２６が収縮して軸心Ｘ２周りでリールフレーム２５が最も収穫部フレーム１４に近づいた状態を示しており、この状態が、掻込リール１０を回転駆動させて植立作物を収穫する作業姿勢である。
【００３２】
回転軸１０ａの左右両端部には、それぞれリールディスク２７が設けられている。左右のリールディスク２７の各頂部に亘って、タイン支持ロッド２８が架設されている。タイン支持ロッド２８には、植立作物に掻込作用するタイン２９が複数取り付けられている。タイン２９は、掻込リール１０の回転に拘わらず、タイン支持ロッド２８から下方に延出した姿勢に保持され、掻込リール１０の回転に伴い機体前後方向に沿う方向で移動して掻き込み作動する。複数のタイン２９は、刈幅方向に所定の配設間隔Ｄ（等間隔）をあけて設けられている。
【００３３】
〔タイン〕
図６及び図７に示すように、タイン２９は、断面形状がＴ字形（略Ｔ字形状を含む）に形成されている。タイン２９は、例えば、金属製の部材によって構成されている。
タイン２９には、刈幅方向に沿う左右方向の面を備えた横向き部２９ａと、タイン２９の掻き込み移動方向に沿う前後方向の面を備えて刈幅方向に直交する縦向き部２９ｂと、が備えられている。タイン２９は、縦向き部２９ｂが前方を向く姿勢で長さ方向の一端部である上端側がタイン支持ロッド２８に取り付けられ、下端側は遊端となっている。
【００３４】
横向き部２９ａの上端部には、幅広板部２９ｃが一体に形成されている。そして、幅広板部２９ｃと対向する位置の縦向き部２９ｂの上端部には、プレート４２が溶接固定されている。幅広板部２９ｃとプレート４２のうち、互いに相対向する側の面には、それぞれ溶接ナット４３，４３が取り付けられている。
タイン支持ロッド２８には、タイン支持ロッド２８に沿って延びる取付金具４４が設けられている。取付金具４４は下向きに開口するチャンネル状に形成され、タイン２９を前後方向の両側から挟み込む前後一対の取付片部分４４ａ，４４ｂを備えている。
【００３５】
タイン２９の長さ方向の一端部のうち、幅広板部２９ｃ及びプレート４２が設けられた上端側を、チャンネル状に形成されている取付金具４４の開口側から嵌め込んで固定している。つまり、取付金具４４の前後の取付片部分４４ａ，４４ｂに対して、前方側の連結ボルト５９ａ、及び、その連結ボルト５９ａとは別の連結ボルト５９ｂによってタイン２９の上端側を固定している。
【００３６】
図４及び図５に示すように、タイン２９は、上下方向長さが短い第一タイン２９Ａと、上下方向長さが長い第二タイン２９Ｂと、を有している。
短い第一タイン２９Ａは、受け板１５の上面に対向し、その上面よりも上方を通過する先端軌跡ＴＡを備え、受け板１５で受け止められた作物を、受け板１５上で後方に掻き込み可能に構成されている。
長い第二タイン２９Ｂは、左右の受け板１５同士の間におけるタイン通過部Ｐに対応し、受け板１５の上面よりも下方を通過する先端軌跡ＴＢを備えて、作物を後方に掻き込み可能に構成されている。つまり、隣り合う受け板１５同士の間に形成されたタイン通過部Ｐを第二タイン２９Ｂが通過できるようにしてある。これにより、受け板１５の存在によってタイン２９の動作が阻害されることはない。
従って、第二タイン２９Ｂによって植立作物をしっかりと掻き込むことができる。そして、植立作物から離脱した収穫対象の作物であるトウモロコシ房状体が、隣り合う受け板１５同士の間に挟まる状態に位置しても、そのトウモロコシ房状体を第二タイン２９Ｂによって後方へ送り込むことができる。
【００３７】
〔受け板〕
図８及び図９に示すように、複数の受け板１５は、刈幅方向に所定の配設間隔Ｄ（等間隔）をあけて設けられている。すなわち、隣り合う位置の受け板１５同士の配設間隔Ｄは、隣り合う位置のタイン２９同士の配設間隔Ｄ（図５参照）と同じ間隔に設定されている。また、隣り合う受け板１５の隙間Ｇは、植立作物から離脱したトウモロコシ房状体を受け止めることができる程度において、タイン２９（横向き部２９ａ）の幅（刈幅方向の長さ）Ｂ（図５参照）よりも大きく設定されている。これにより、隣り合う受け板１５の間には、タイン２９が通過可能なタイン通過部Ｐが形成されている。
【００３８】
これにより、タイン２９がタイン通過部Ｐを通過することにより、受け板１５がタイン２９の動作を阻害することなく、植立作物をタイン２９によってしっかりと掻き込むことができる。しかも、トウモロコシ房状体がタイン通過部Ｐに挟まったとしても、トウモロコシ房状体をタイン２９によって掻き出すことができる。
【００３９】
受け板１５は、刈刃３４に対して略平行な状態（厳密には、刈刃３４に対して若干前上がりに傾斜する状態）で刈刃３４の上方を通って刈刃３４よりも前側まで延びている。受け板１５の前端位置は、左右一対のデバイダ９Ｌ，９Ｒよりも前側に突出しない範囲で、できるだけ前方に位置するように設定されている。受け板１５は、後述するステー５７（支持部材に相当する）にボルト５８によって後端部が片持ち状態で固定されている。
【００４０】
図１０及び図１１に示すように、受け板１５は、刈幅方向に山部１５ａ、１５ｃと谷部１５ｂ、１５ｄが並ぶ断面形状の波板状部材（例えば、金属製の部材）によって構成され、かつ、前部側が先細り形状（具体的には、鋭角な三角形状）に形成されている。受け板１５は、先細り形状の先端部１５Ａと、先端部１５Ａから後方に延びる直線部１５Ｂと、を有している。受け板１５には、第一山部１５ａと、左右一対の第一谷部１５ｂと、左右一対の第二山部１５ｃと、左右一対の第二谷部１５ｄと、が形成されている。受け板１５は、その中心Ｃ（刈幅方向の中心）に対して対称な形状に形成されている。
【００４１】
第一山部１５ａは、その頂部が突起状に形成されている。第二山部１５ｃは、第一山部１５ａよりも高く、その頂部が平面状に形成されている。第二山部１５ｃの後部には、ボルト５８に対応するボルト孔１５ｅが形成されている。第二山部１５ｃの上面のうちボルト孔１５ｅに対応する部分には、ステー１５ｆが取り付けられている。なお、ステー１５ｆは、図９乃至図１１に示す形状等に限定されるものではない。また、ステー１５ｆが設けられていなくてもよい。
【００４２】
第一谷部１５ｂ、及び第二谷部１５ｄは、その底部がＶ字状に形成されている。
【００４３】
本実施形態では、受け板１５の先端部の剛性を向上させるべく、左右一対の第一谷部１５ｂの底部の間隔を狭くして、第一山部１５ａ及び左右一対の第一谷部１５ｂが受け板１５の前端部まで届くようにしている。これと共に、ボルト５８による固定強度を向上させるべく、左右一対の第二山部１５ｃの頂部を幅広にして、左右一対のボルト孔１５ｅの間隔が大きくなるようにしている。
【００４４】
〔ストッパー部〕
図３，４、及び図８乃至図１１に示すように、受け板１５の上面側には、この受け板１５によって受け止められたトウモロコシ房状体の機体前方側への移動を制限するストッパー部８が設けられている。
このストッパー部８は、受け板１５の上面が前下がり状態となったり、機体の走行速度を減速した場合等に、受け板１５上のトウモロコシ房状体が前方側へ転がったり、ずれ動いたりして、受け板１５の上面から脱落することを抑制しようとするものであり、受け板１５の上面に立設された突出部材８０によって構成されている。
【００４５】
突出部材８０は、後上がり傾斜の前部傾斜面８０ａと、前部傾斜面８０ａの後方側に位置する後下がり傾斜の後部傾斜面８０ｂと、を備えて側面視で山形状に形成されている。前部傾斜面８０ａと後部傾斜面８０ｂのうち、前部傾斜面８０ａは比較的緩やかな勾配の緩傾斜面となっているのに対して、後部傾斜面８０ｂは前部傾斜面８０ａよりも急角度で起立する急傾斜面となっている。これは、前方側から後方側へは、トウモロコシ房状体による乗り越えを比較的容易に行えるようにしながら、逆方向の後方側から前方側へは、トウモロコシ房状体による乗り越えを行い難くして、受け板１５の上面からトウモロコシ房状体が脱落することを抑制しようとするためである。
【００４６】
突出部材８０は、左右両側に前後方向に沿う側面８０ｃを備えている。この側面８０ｃは、受け板１５の左右方向において上端側ほど左右方向で受け板１５の中央側へ傾いて、下拡がりの傾斜面に形成されている。このように突出部材８０の側面８０ｃが下拡がりの傾斜面であると、隣り合う受け板１５同士の間を植立作物が通過する際に、植立作物が刈幅方向で多少傾いていても、突出部材８０に引っ掛かる虞が少ない。したがって、植立作物の姿勢が乱されたり、引きちぎられるような不具合が生じることを回避し易い。
【００４７】
上記のように形成された突出部材８０は、受け板１５の直線部１５Ｂよりも前部側で先細り形状に形成された先端部１５Ａに設けられている。そして、側面８０ｃの下端縁は、図１０に示すように受け板１５の先端部１５Ａの形状に沿って平面視で先細り形状に形成されている。さらに突出部材８０は、図１１に示すように、左右の第二山部１５ｃ，１５ｃにわたって掛け渡され、受け板１５の上面に溶接固定されている。このように突出部材８０が左右の第二山部１５ｃ，１５ｃにわたる状態で溶接されることにより、受け板１５の前部側における補強部材としても役立っている。
【００４８】
図４に示すように、突出部材８０は、タイン２９の掻込作用軌跡、つまり、第一タイン２９Ａの先端軌跡ＴＡ、及び第二タイン２９Ｂの先端軌跡ＴＢよりも前方側に設けられている。したがって、タイン２９による掻込作用が及ばない位置において、受け板１５上に存在するトウモロコシ房状体が、それ以上前方側へ転がったり、前方側へずれ動いたりすることを制限し得る。
【００４９】
〔ステー〕
図１３から図１６に示すように、支持部材としてのステー５７は、刈刃３４の下方を通って刈刃３４よりも前側まで延びて刈刃３４よりも前側の位置で受け板１５を下方から支持している。ステー５７には、左右一対の延出部５７Ａと、取付け部５７Ｂと、左右一対のガイド部５７Ｃと、が形成されている。ステー５７は、例えば、金属製の部材によって構成されている。
【００５０】
ステー５７は、刈刃３４の下面に沿う状態で、横フレーム３３にボルト３７及びナット３８によって固定されている。その際、複数のステー５７のうちナイフクリップ３６の位置に対応するステー５７は、ナイフクリップ３６と共に横フレーム３３にボルト３７及びナット３８によって固定されている。なお、複数のステー５７の全てが、ナイフクリップ３６と共締めされていてもよい。
【００５１】
延出部５７Ａは、刈刃３４の下方を通って刈刃３４よりも前側まで延びている。左右一対の延出部５７Ａの後端部は、連結部５７Ｄによって連結されている。延出部５７Ａの後端部には、ボルト３７に対応するボルト孔５７ａが形成されていると共に、後方に突出する当接部５７Ｅが形成されている。当接部５７Ｅが横フレーム３３に当接することにより、横フレーム３３に対するステー５７の固定状態が安定する。
【００５２】
延出部５７Ａの前端部には、刈刃３４よりも上側に立ち上がる立ち上がり部５７Ｆが形成されている。延出部５７Ａの横外側面には、前後方向に延びて作物（隣り合う受け板１５の間に入り込んだ作物）をガイドするガイド面５７Ｇが形成されている。延出部５７Ａの上部には、ナイフバー３５との干渉を防ぐための凹部５７ｃが形成されている。
【００５３】
取付け部５７Ｂには、受け板１５の後端部がボルト５８によって固定されている。取付け部５７Ｂは、左右一対の立ち上がり部５７Ｆに亘るように、立ち上がり部５７Ｆと一体的に形成されている。取付け部５７Ｂには、ボルト５８に対応する左右一対のボルト孔５７ｂが、前後二箇所に形成されている。
【００５４】
ガイド部５７Ｃは、受け板１５の両横端部（刈幅方向両端部）に対応する両位置に設けられて、受け板１５と刈刃３４との上下間において、前後方向に延びて作物（隣り合う受け板１５の間に入り込んだ作物）をガイドする。ガイド部５７Ｃは、立ち上がり部５７Ｆから後方に延びるように、立ち上がり部５７Ｆと一体的に形成されている。ガイド部５７Ｃと延出部５７Ａとの間には、刈刃３４が入り込む溝５７ｄが形成されている。
【００５５】
〔デバイダ〕
図８に示すように、収穫部３の刈幅方向における左側の端部位置に左側のデバイダ９Ｌが設けられている。左側のデバイダ９Ｌは、収穫部フレーム１４のうち左側の側板３０Ｌの前端部に設けられている。収穫部３の刈幅方向における右側の端部位置に右側のデバイダ９Ｒが設けられている。右側のデバイダ９Ｒは、収穫部フレーム１４のうち右側の側板３０Ｒの前端部に設けられている。通常の回り刈り（左回りの回り刈り）では、右側のデバイダ９Ｒが既刈地側に位置し、左側のデバイダ９Ｌが未刈地側に位置することになる。
左右のデバイダ９Ｌ，９Ｒは、先端部が前方に向けて延びる縦壁と、縦壁の底部から刈幅方向での中央側向きに張り出して前記縦壁で区分けされた領域の作物を刈幅内へ案内するガイド板１７，１９と、を備えている。
【００５６】
〔左側デバイダ〕
まず、左側のデバイダ９Ｌについて説明する。
図３、図８、及び図１５に示されているように、左側のデバイダ９Ｌは、先端部が前方に向けて延びる縦壁としての側部メッシュ部材１６と、側部メッシュ部材１６の底部から刈幅方向での中央側向きに張り出して側部メッシュ部材１６で区分けされた領域の作物を刈幅内へ案内する左側のガイド板１７と、が備えられている。
側部メッシュ部材１６は、収穫部フレーム１４のうち左側の側板３０Ｌにおける上面と前面に取り付けられている。そして、上下方向で収穫部フレーム１４の側板３０Ｌの上端よりも高い位置にまで延出され、かつ側板３０Ｌの上方を前後方向で切断装置１１の存在箇所よりも後側にまで延出されている。
【００５７】
側部メッシュ部材１６は、掻込リール１０の左側方に位置して前後方向及び上下方向に沿って平面状に広がるように構成されている。
側部メッシュ部材１６は、その前端位置が受け板１５よりも前側の位置に設定され、かつ、その後端位置が収穫部フレーム１４の後端部に対応する位置に設定され、かつ、その上端位置が掻込リール１０（下降状態の掻込リール１０）よりも上側の位置に設定され、かつ、その下端位置が収穫部フレーム１４の下端部に対応する位置に設定されている。
【００５８】
側部メッシュ部材１６は、周辺部がパイプフレーム１６Ａで囲まれ、そのパイプフレーム１６Ａで囲まれた範囲の内側に、トウモロコシ房状体の通過を許さず、かつ運転キャビン４からの視認性を損なわない、という程度の大きさの網目を有した網目部材１６Ｂが張設されている。
側部メッシュ部材１６が網目部材１６Ｂを備えていることにより、作物の案内状況を視認（例えば、図２のＲ１の範囲）することができる。なお、範囲Ｒ１は、例示であり、運転者の体格や姿勢、目線等によって多少変動する。
側部メッシュ部材１６の後部では、図３に示すように、側面視で掻込リール１０を昇降作動させるための油圧シリンダ２６を横外方から覆って、油圧シリンダ２６への植立作物の巻き付きを防止している。
【００５９】
パイプフレーム１６Ａは、側面視で前端部が先細り状に形成されている。この前端部が、刈取対象の植立作物と、未刈側の植立作物とを左右に区分けする分草手段としての機能を備えている。
側部メッシュ部材１６の下辺側では、図３及び図２２に示すように、パイプフレーム１６Ａの前後方向の中間位置に、前部よりも後部が高くなる段部が形成され、この段部に後部接続板１６Ｃが溶接固定されている。
後部接続板１６Ｃは、上端片部１６Ｃａと下端片部１６Ｃｂが後方側へ折り返されたチャンネル状の板材で構成されている。後部接続板１６Ｃは、下端片部１６Ｃｂがガイド板１７の上面に溶接固定され、上端片部１６Ｃａが収穫部フレーム１４の左側の側板３０Ｌの上面部分にボルト連結されている。後部接続板１６Ｃの上端片部と下端片部を繋ぐ縦板部分１６Ｃｃは、収穫部フレーム１４の左側の側板３０Ｌの前面部分にボルト連結されている。この縦板部分１６Ｃｃと側板３０Ｌの前面部分の間には、後述するソリ体４８Ｌの前端部が位置しており、これを挟み込む状態で縦板部分１６Ｃｃと側板３０Ｌの間に、ソリ体４８Ｌの前端部を共締め状態で連結している。
【００６０】
さらに、側部メッシュ部材１６の下辺側うち、段部よりも後方側の高い位置では、パイプフレーム１６Ａの後部側を収穫部フレーム１４の側板３０Ｌの上面側に連結するための複数個の接続片１６Ｄがパイプフレーム１６Ａの下辺側に溶接固定され、側板３０Ｌの上面側にボルト連結されている。
このように、側部メッシュ部材１６は、その下辺側において、後部接続板１６Ｃ及び接続片１６Ｄを介して、側板３０Ｌの上面側と側板３０Ｌの前面側と、にボルト連結されている。そして、さらに後部接続板１６Ｃの下端片部１６Ｃｂが溶接固定されたガイド板１７を介して、そのガイド板１７の後部を固定するステー５７や横フレーム３３とともに収穫部フレーム１４に連結されている。
【００６１】
左側のガイド板１７には、刈幅方向中央側の端縁における前部箇所に、前方から後方に向かうほど、刈幅方向の端部から刈幅方向の中央に位置する傾斜案内縁１７Ａが形成されている。この傾斜案内縁１７Ａは、前端側に位置する第一案内縁１７Ａａと、その後方側に連なる第二案内縁１７Ａｂを備えている。
さらに、左側のガイド板１７には、傾斜案内縁１７Ａの後方側に連なる状態で直線案内縁１７Ｂが形成されている。この直線案内縁１７Ｂは、刈幅方向の中央に位置する受け板１５の直線部１５Ｂと対向している。そして、直線案内縁１７Ｂは、対向する直線部１５Ｂと間に、植立作物が通過可能な受け板１５同士の隙間Ｇと同じ、又は同程度の間隔を有した隙間Ｇを形成するように配設されている。
【００６２】
傾斜案内縁１７Ａのうち、第二案内縁１７Ａｂにおける機体前後方向に沿う仮想線分に対する傾斜角度は、受け板１５の先端部１５Ａにおける傾斜した案内縁の機体前後方向に沿う仮想線分に対する傾斜角度と同程度に設定されている。そして、第一案内縁１７Ａａは、第二案内縁１７Ａｂの前方側への延長線よりも、前方側ほど左横外方へ離れるように傾斜して、前端側が側部メッシュ部材１６の下部に接続されている。つまり、機体前後方向に沿う仮想線分に対して、第一案内縁１７Ａａが第二案内縁１７Ａｂよりも大きな傾斜角度で交差するように傾斜している。
その結果、第一案内縁１７Ａａが第二案内縁１７Ａｂと同一傾斜角度に設定されている場合よりも、ガイド板１７の前後方向長さに対する傾斜案内縁１７Ａによる植立作物の案内範囲を刈幅方向で拡大することができる。これにより、ガイド板１７の前後長さを短くして機体全長の短縮化に寄与することができる。
【００６３】
図８、図９、及び図１３乃至図１５に示すように、ガイド板１７の後部は、収穫部フレーム１４の前端部において刈幅方向に延びて切断装置１１を支持する横フレーム３３に支持されている。
すなわち、横フレーム３３には多数のステー５７が固定され、受け板１５が各ステー５７に支持されているが、これらのステー５７のうち、刈幅方向で最も左端の受け板１５を支持するステー５７よりもさらに左側箇所にもステー５７が設けられている。ガイド板１７の後部は、この左端の受け板１５を支持するステー５７よりもさらに左側箇所に設けられたステー５７に固定されている。
【００６４】
左端の受け板１５を支持するステー５７よりもさらに左側箇所に設けられたステー５７は、ガイド板１７の刈幅方向で、側部メッシュ部材１６の存在箇所よりも刈幅方向中央側に離れて位置している。したがって、このステー５７に支持されるガイド板１７の後部は、このガイド板１７の後部における刈幅方向で中央側に近い箇所が、ステー５７、及び横フレーム３３を介して収穫部フレーム１４に固定されている。
このようにガイド板１７の後部のうち、刈幅方向で中央側に近い箇所が固定されるのは、このガイド板１７の後部において、刈幅方向で最も中央側に近い箇所の強度を向上させるためである。これにより、受け板１５の直線部１５Ｂと対向して、受け板１５との間に形成される隙間Ｇを通過する植立作物と接触して受ける外力に抗し易くしている。
【００６５】
図３、図８、及び図１５に示すように、ガイド板１７の上方に、植立作物の茎部を刈幅内に案内するガイド棒４５が設けられている。ガイド棒４５は、側部メッシュ部材１６のパイプフレーム１６Ａに前端部が溶接固定され、後端側が後方斜め上方に向けて延出されている。
【００６６】
〔右側デバイダ〕
次に、右側のデバイダ９Ｒについて説明する。
図３、図８、及び図１６に示されているように、右側のデバイダ９Ｒは、先端部が前方に向けて延びる縦壁としての側板部材１８と、側板部材１８の底部から刈幅方向での中央側向きに張り出して側板部材１８で区分けされた領域の作物を刈幅内へ案内する右側のガイド板１９と、が備えられている。
【００６７】
側板部材１８は、掻込リール１０の右側方に位置して前後方向及び上下方向に沿って平面状に広がる無孔の金属製板状部材により構成されている。
側板部材１８は、左側の側部メッシュ部材１６と同程度に、その前端位置が受け板１５よりも前側の位置に設定され、かつ、その後端位置は、収穫部フレーム１４の前端部に対応する位置に設定され、かつ、その下端位置が収穫部フレーム１４の下端部に対応する位置に設定されている。
【００６８】
側板部材１８は、側面視で前端部が先細り状に形成されている。この側板部材１８の前端部が、中割作業時に、刈取対象の植立作物と、未刈側の植立作物とを左右に区分けする分草手段としての機能を備えている。
側板部材１８の後端部には、側面視で後方側が開放されたチャンネル状の後部接続板１８Ａが溶接固定されている。この後部接続板１８Ａは、上端片部と下端片部とが後方側へ折り返され、下端片部がガイド板１９の上面に溶接固定され、上端片部が右側の収穫部フレーム１４の側板３０Ｒの上面部分にボルト連結されている。
また、後部接続板１８Ａは、下部側の隅角部に三角形状の補強ブラケット１８Ｂが溶接固定されている。
【００６９】
側板部材１８の底部から刈幅方向での中央側向きに張り出し右側のガイド板１９には、図８及び図１６に示すように、刈幅方向中央側の端縁における前部箇所に、前方から後方に向かうほど、刈幅方向の端部から刈幅方向の中央に位置する傾斜案内縁１９Ａが形成されている。
傾斜案内縁１９Ａの後方側に連なる状態で直線案内縁１９Ｂが形成されている。この直線案内縁１９Ｂは、刈幅方向の中央に位置する受け板１５の直線部１５Ｂと対向している。そして、直線案内縁１９Ｂは、対向する直線部１５Ｂと間に、植立作物が通過可能な受け板１５同士の隙間Ｇと同じ、又は同程度の間隔を有した隙間Ｇを形成するように配設されている。
【００７０】
ガイド板１９に形成された傾斜案内縁１９Ａの傾斜角度は、受け板１５の先端部１５Ａにおける傾斜した案内縁の傾斜角度と同程度で左右対称に設定されている。つまり、機体前後方向に沿う直線案内縁１９Ｂ、及び機体前後方向に沿う受け板１５の直線部１５Ｂに沿う線分を挟んで、左右対称に形成されている。
【００７１】
図８、図９、及び図１３乃至図１６に示すように、ガイド板１９の後部は、収穫部フレーム１４の前端部において刈幅方向に延びて切断装置１１を支持する横フレーム３３に支持されている。
横フレーム３３には、受け板１５を支持する多数のステー５７が固定されているが、刈幅方向で最も右端の受け板１５を支持するステー５７よりもさらに右側箇所にもステー５７が設けられている。ガイド板１９の後部は、この右端の受け板１５を支持するステー５７よりもさらに右側箇所に設けられたステー５７に固定されている。
【００７２】
したがって、このステー５７に支持されるガイド板１９の後部は、ガイド板１９の刈幅方向で、側板部材１８の存在箇所よりも刈幅方向中央側に離れて位置し、ガイド板１９の後部における刈幅方向で中央側に近い箇所で、ステー５７、及び横フレーム３３を介して収穫部フレーム１４に固定されている。これにより、ガイド板１７と同様に、ガイド板１９の刈幅方向で最も中央側に近い箇所の強度を向上させることができる。
【００７３】
図８及び図１６に示すように、ガイド板１９の上方に、植立作物の茎部を刈幅内に案内するガイド棒４６が設けられている。ガイド棒４６は、側板部材１８の前端部に前端側が溶接固定され、後端側が後方斜め上方に向けて延出されている。
【００７４】
〔搬送ガイド〕
図２及び図１７に示すように、掻込リール１０の回転軸１０ａへ動力を伝達する伝達機構（図示せず）を内装した伝動ケース１０ｂは、収穫部フレーム１４の右側の側板３０Ｒの上方位置に、平面視で重複する状態に配設されている。
そして、収穫部フレーム１４の右側の側板３０Ｒの上方位置には、掻込リール１０が図１７に示すような作業姿勢にある状態で、その掻込リール１０による掻き込み作用に伴って、トウモロコシ房状体が右側の側板３０Ｒの上側を越えて外部へ漏れ出す、というような事態が発生することを抑制するための搬送ガイド４７が設けられている。
【００７５】
すなわち、右側の側板３０Ｒは、掻込リール１０が作業姿勢となる位置に存在している状態では、その掻込リール１０への伝動機構（図示せず）を内装した伝動ケース１０ｂは、最も下降した位置に存在することになる。この最下降姿勢（図１７に実線で示す姿勢）であるときに、伝動ケース１０ｂが側板３０Ｒと干渉しないように、伝動ケース１０ｂの下縁１０ｃと側板３０Ｒの上縁３０Ｒａとの間には、所定以上の間隔Ｈが存在する。
この間隔Ｈが、伝動ケース１０ｂの下縁１０ｃと側板３０Ｒの上縁３０Ｒａとの間に存在している状態で掻込リール１０による掻き込み作用が行われると、トウモロコシ房状体が右側の側板３０Ｒの上縁３０Ｒａを越えて、伝動ケース１０ｂの下縁１０ｃと側板３０Ｒの上縁３０Ｒａとの間隔Ｈから外部へ漏れ出す、というような事態が発生する可能性がある。
【００７６】
このような事態の発生を回避するために設けられた前記搬送ガイド４７は、その下端側の取付片部４７ａにおける前端部が、右側のデバイダ９Ｒの側板部材１８における後部接続板１８Ａの上端部に連結され、後部が側板３０Ｒの上縁３０Ｒａに沿って側板３０Ｒに固定されている。
搬送ガイド４７は、取付片部４７ａの機体内方側端部に、前後方向及び上下方向に沿う立ち上がり壁部４７ｂを備えている。この立ち上がり壁部４７ｂが、掻込リール１０の右横外側方で、伝動ケース１０ｂの下縁１０ｃと側板３０Ｒの上縁３０Ｒａとの間隔Ｈが存在する部分に対向する状態に設けられている。したがって、この立ち上がり壁部４７ｂが前記間隔Ｈの存在する部分を閉塞した状態となり、掻込リール１０の作用に伴うトウモロコシ房状体の外部への漏れ出しを抑制している。
【００７７】
〔ソリ体〕
図３及び図１７に示すように、収穫部フレーム１４の左右の側板３０Ｌ、３０Ｒの下部には、それぞれソリ体４８Ｌ、４８Ｒが設けられている。
各ソリ体４８Ｌ、４８Ｒは、刈刃３４の前方側のデバイダ９Ｌ，９Ｒの後部から、刈刃３４の後方側の側板３０Ｌ、３０Ｒにわたって延設され、下端側が下方へ突出するＶ字状の接地部４８ａを備えている。
【００７８】
このソリ体４８Ｌ、４８Ｒは、作業走行時に常時地面に接触させた状態で走行するためのものではない。つまり、機体左右方向に延びる軸心Ｘ１回りで収穫部３を揺動下降させたとき、収穫部３の前端部に位置するデバイダ９Ｌ，９Ｒの先端や、刈刃３４が、地面に突入する状態とならないように、デバイダ９Ｌ，９Ｒの先端や、刈刃３４よりも先に地面に接触する位置に設けられている。これにより、ソリ体４８Ｌ、４８Ｒが、作業時における下降限界規制手段として作用する。
【００７９】
〔後部メッシュ部材〕
収穫部３には、後部メッシュ部材４９が備えられている。
図３及び図１８に示すように、後部メッシュ部材４９は、掻込リール１０の後方に位置して刈幅方向及び上下方向に平面状に広がるように構成されている。後部メッシュ部材４９は、収穫部フレーム１４のうち後板３２における上面に取り付けられている。後部メッシュ部材４９は、その上端位置が掻込リール１０（下降状態の掻込リール１０）よりも上側の位置に設定され、その左右両端位置が収穫部フレーム１４の左右両端部に対応する位置に設定されている。後部メッシュ部材４９は、側面視において、側部メッシュ部材１６の後辺部と略平行な姿勢となっている。後部メッシュ部材４９の網目の大きさは、運転キャビン４からの視認性を損なわない程度の大きさに設定されている。
【００８０】
これにより、トウモロコシ房状体（トウモロコシの粒等）が掻込リール１０や掻込オーガ１２の回転によって後方に跳ね飛ばされても、後部メッシュ部材４９に当たって収穫部フレーム１４（デッキ３１）上に落下することになり、トウモロコシ房状体を回収することができる。
【００８１】
また、後部メッシュ部材４９がメッシュ状の部材であることにより、視認性を損なうことなく、運転キャビン４内における上述の空間（運転座席２１の前方、メータパネル２２の下方及び操向レバー２４の下方の各空間）を通して、運転者が運転座席２１から前方を視認（例えば、図１のＲ２の範囲）したり、掻込オーガ１２の掻込状況、切断装置１１の刈跡、右側のデバイダ９Ｌの条合わせ状況、右側のデバイダ９Ｒの条合わせ状況等を視認（例えば、図１及び図２のＲ３の範囲）したりすることができる。なお、範囲Ｒ２、Ｒ３は、例示であり、運転者の体格や姿勢、目線等によって多少変動する。
【００８２】
〔底カバー〕
図１９及び図２０に示すように、機体フレーム２を構成する左右一対のメインフレーム２Ａ，２Ａ同士の間における機体下面側には、機体フレーム２に搭載された運転キャビン４、脱穀装置５、グレンタンク６、等を下方側から保護する底カバー５０が設けられている。
この底カバー５０は、刈刃３４で刈り取られた後の残稈が、機体フレーム２に搭載されている各装置や、配線、配管部分に強く接触して損傷することを防止するためのものである。
【００８３】
底カバー５０は、複数に分割された分割カバー体５０ａ，５０ｂ，５０ｃ，５０ｄ，５０ｅによって構成されている。これらの各分割カバー体５０ａ，５０ｂ，５０ｃ，５０ｄ，５０ｅが、左右一対のメインフレーム２Ａ，２Ａ同士の間に配置され、前後方向での中央側に位置する分割カバー体５０ｃは、左右一対のメインフレーム２Ａ，２Ａ同士の間に架設された前後一対の横架フレーム２Ｂ，２Ｂの間に配置されている。
これらの各分割カバー体５０ａ，５０ｂ，５０ｃ，５０ｄ，５０ｅは、図２０に示すように、前後方向での中央側に位置する分割カバー体５０ｃが対地的に最も低い位置に配設され、その位置から前後に離れるほど、順次対地高さが高くなるように設けられている。このように各分割カバー体５０ａ，５０ｂ，５０ｃ，５０ｄ，５０ｅの高さが異なっているのは、機体の前進時、及び後進時の何れの場合も、進行方向上手側となる機体端部側が高くなるようにして、残稈の案内を円滑に行えるようにするためである。
【００８４】
また、最前部の分割カバー体５０ａとその後方側に繋がる分割カバー体５０ｂは、後方側の分割カバー体５０ｂの前部が最前部の分割カバー体５０ａの後部の上側に重なる状態で繋ぎ合わせてある。これは、機体前進時に、底カバー５０に摺接する茎稈の切り株や雑草等が、繋ぎ合わせ箇所に引っかかり難くするためである。同様の理由で、最後部の分割カバー体５０ｅとその前方側に繋がる分割カバー体５０ｄは、前方側の分割カバー体５０ｄの後部が最後部の分割カバー体５０ａの前部の上側に重なる状態で繋ぎ合わせてある。これにより、機体後進時に、底カバー５０に摺接する茎稈の切り株や雑草等が、繋ぎ合わせ箇所に引っかかり難くなる。
【００８５】
上記の各分割カバー体５０ａ，５０ｂ，５０ｃ，５０ｄ，５０ｅのうち、特に低い位置に存在する分割カバー体５０ｂ，５０ｃ，５０ｄには、開閉可能な蓋付き開口部５１が設けられている。
したがって、塵埃等が堆積したとき、その蓋付き開口部５１を開放して、塵埃等を落下させることができるので、分割カバー体５０ａ，５０ｂ，５０ｃ，５０ｄ，５０ｅのそれぞれを脱着する場合に比べて、簡単に塵埃を除去することができ、清掃作業を行い易くなる。この蓋付き開口部５１の開閉操作は、後方側の上下軸心（図示せず）周りに左右揺動開閉可能に構成されているグレンタンク６を、開放姿勢に揺動させて位置変更した状態で行うことができる。
【００８６】
図２０に部分拡大図で示しているように、蓋付き開口部５１では、蓋部材５１ａの左右方向の一端側５１ｂが分割カバー体５０ｂの下側に潜り込み、他端側５１ｃが分割カバー体５０ｂの上側に位置している。この上側に位置している他端側５１ｃが連結ボルト５１ｄで連結固定され、かつ、他端側５１ｃの端部が上方側に屈曲して摘まみ部として利用できるように構成されている。
尚、この部分拡大図は、便宜上、図２０中では前後方向に沿う状態で断面を記載しているが、実際は、左右方向に沿う断面の図を示すものである。
【００８７】
〔収穫部の高刈り作業〕
図２１に示すように、トウモロコシＡを収穫する場合、稈長が長いことから、収穫部３を上昇させた状態で刈取作業（高刈り作業）を行うことになる。そして、この場合、掻込リール１０が植立作物を掻き込む際に、掻込リール１０が植立作物に接触してトウモロコシ房状体Ａａが植立作物から離脱したとしても、トウモロコシ房状体Ａａが切断装置１１の前側の地面に落下する前に、受け板１５によって受け止められることになる。この状態では、受け板１５は、前上がりの傾斜姿勢となっている。そして、受け板１５上のトウモロコシ房状体Ａａは、タイン通過部Ｐを通過するタイン２９によって掻き込まれて回収される。これにより、収穫部３におけるトウモロコシ房状体Ａａのロスを抑制することができる。
【００８８】
また、収穫部３を上昇させた状態では、後部メッシュ部材４９が掻込リール１０と同等の高さとなっている。その際、後部メッシュ部材４９がメッシュ状の部材であることにより、視認性を損なうことなく、運転者が運転座席２１から前方を視認（例えば、図２１のＲ２の範囲）することができる。
【００８９】
〔別実施形態の１〕
上記の実施形態では、受け板１５が波板状部材によって構成された構造のものを例示したが、必ずしもこの構造に限定されるものではない。
例えば、平板状部材によって構成されていても良いし、あるいは、円弧形状の板状部材や、棒状部材によって構成されていてもよい。すなわち、受け板１５の形状や材質は、上記実施形態に係る形状や材質に限らず、種々の形状や材質を採用することができる。
その他の構成は、前述した実施形態と同様の構成を採用すればよい。
【００９０】
〔別実施形態の２〕
上記の実施形態では、受け板１５の支持構造として、ステー５７と横フレーム３３による支持構造を採用しているが、その他の支持構造を採用してもよい。また、ステー５７の形状や材質は、上記実施形態に係る形状や材質に限らず、種々の形状や材質を採用することができる。
その他の構成は、前述した実施形態と同様の構成を採用すればよい。
【００９１】
〔別実施形態の３〕
上記の実施形態では、掻込リール１０のタイン２９として、短尺の第一タイン２９Ａと長尺の第二タイン２９Ｂとの組み合わせによる構造を例示したが、必ずしもこの構造に限定されるものではない。
例えば、短尺の第一タイン２９Ａを用いずに長尺の第二タイン２９Ｂのみで構成してもよい。また、タイン２９の形状としても、Ｔ字形のものに限らず、適宜の断面形状のものを採用することもできる。
その他の構成は、前述した実施形態と同様の構成を採用すればよい。
【００９２】
〔別実施形態の４〕
上記の実施形態では、断面Ｔ字形のタイン２９の取付金具４４に対する取付箇所で、Ｔ字形の幅広板部２９ｃの反対側にプレート４２を当て付け状態で溶接して、その幅広板部２９ｃとプレート４２とを別々の連結ボルト５９ａ，５９ｂで連結した構造のものを例示したが、この構造に限定されるものではない。
例えば、プレート４２を用いずに幅広板部２９ｃの反対側に適宜取付可能な部分を設けて取付金具４４に連結してもよく、また、別々の連結ボルト５９ａ，５９ｂを用いずに、一本の連結ボルトでタイン２９を取付金具４４に連結したものであってもよい。
その他の構成は、前述した実施形態と同様の構成を採用すればよい。
【００９３】
〔別実施形態の５〕
上記の実施形態では、ストッパー部８として、受け板１５の上面に立設された突出部材８０を備え、その突出部材８０が、後上がり傾斜の前部傾斜面８０ａと、前部傾斜面８０ａの後方側に位置する後下がり傾斜の後部傾斜面８０ｂと、を備えて側面視で山形状に形成されたものであり、かつ後部傾斜面８０ｂが前部傾斜面８０ａよりも急角度で起立する急傾斜面に形成されたものを例示したが、必ずしもこの構造に限定されるものではない。
例えば、後部傾斜面８０ｂと前部傾斜面８０ａとは互いに角度差のない同程度の傾斜面であっても良く、また、受け板１５の上面の一箇所のみならず複数箇所に設けられたものであってもよい。
その他の構成は、前述した実施形態と同様の構成を採用すればよい。
【００９４】
〔別実施形態の６〕
上記の実施形態では、ストッパー部８として、受け板１５の上面に立設された突出部材８０を備え、その突出部材８０の左右両側に前後方向に沿う側面８０ｃを備え、この側面８０ｃが、受け板１５の左右方向において上端側ほど左右方向で受け板１５の中央側へ傾いて、下拡がりの傾斜面に形成されている構造のものを例示したが、必ずしもこの構造に限定されるものではない。
例えば、側面８０ｃが、単なる上下方向に沿う側面であったり、上下方向での中間部が左右に膨らみ、上側と下側が窄まる形状であるなど、適宜の構造を採用することができる。
その他の構成は、前述した実施形態と同様の構成を採用すればよい。
【００９５】
〔別実施形態の７〕
上記の実施形態では、ストッパー部８として、受け板１５の上面に山形状に形成された突出部材８０を立設した構造のものを例示したが、必ずしもこの構造に限定されるものではない。例えば、ストッパー部８として、受け板１５の上面に左右方向に沿う板状部材を立設したものであったり、受け板１５の上面に、前方側よりも後方側が低くなる段部が形成されたものであったり、受け板１５の上面が、前後に比べて中間部が低くなるように凹入した屈折、又は屈曲形状であってもよい。
その他の構成は、前述した実施形態と同様の構成を採用すればよい。
【００９６】
〔別実施形態の８〕
上記の実施形態では、左側のデバイダ９Ｌにのみ、縦壁として側部メッシュ部材１６を採用し、右側のデバイダ９Ｒは、縦壁としての側板部材１８を採用した構造のものを例示したが、必ずしもこの構造に限定されるものではない。
例えば、左右のデバイダ９Ｌ，９Ｒの両方に側部メッシュ部材１６を採用したり、左右のデバイダ９Ｌ，９Ｒの両方に側板部材１８を採用した構造のものであってもよい。
その他の構成は、前述した実施形態と同様の構成を採用すればよい。
【００９７】
〔別実施形態の９〕
上記の実施形態では、左右のデバイダ９Ｌ，９Ｒの先端部にガイド棒４５，４６を付設した構造のものを例示したが、必ずしもこの構造に限定されるものではなく、ガイド棒４５，４６を省略する、もしくは、複数本のガイド棒４５，４６を付設するなどしてもよい。
その他の構成は、前述した実施形態と同様の構成を採用すればよい。
【００９８】
〔別実施形態の１０〕
上記の実施形態では、ガイド板１７，１９の後部を、左右方向の端部に位置する受け板１５を支持するステー５７よりもさらに横外側に位置するステー５７に固定した構造のものを例示したが、この構造に限定されるものではない。
例えば、図２２に示すように、収穫部フレーム１４の右の側板３０Ｒ（もしくは左の側板３０Ｌ）に固定用ブラケット５２を取り付けて、その固定用ブラケット５２にガイド板１９（もしくは左のガイド板１７）の後端部を固定するようにしてもよい。
その他の構成は、前述した実施形態と同様の構成を採用すればよい。
【００９９】
〔別実施形態の１１〕
上記の実施形態では、受け板１５を、ステー５７に固定して横フレーム３３に取り付けた構造のものを例示したが、必ずしもこの構造に限定されるものではない。
例えば、図示はしないが、受け板１５の後端側を、刈刃３４よりも後方側へ延長して、その受け板１５の後端側に設けた横向きの揺動支点（図示せず）回りで上下揺動させるようにしてもよい。この構造によれば、受け板１５の上下揺動にともなって、受け板１５上のトウモロコシ房状体が後方側へ転がり移動して回収されるように構成することも可能である。
その他の構成は、前述した実施形態と同様の構成を採用すればよい。
【産業上の利用可能性】
【０１００】
本発明は、稲、麦、そば、大豆、トウモロコシ等の作物を収穫するコンバインに利用可能である。
【符号の説明】
【０１０１】
３              収穫部
９Ｌ，９Ｒ      デバイダ
１０            掻込リール
１１            切断装置
１４            収穫部フレーム
１５            受け板（受け部材）
１６，１８      縦壁
１７，１９      ガイド板
１７Ａ，１９Ａ  傾斜案内縁
３０Ｌ          側壁
３３            横フレーム
４５，４６      ガイド棒
５７            支持部材
Ｇ              間隔
【図１】
2019198304.tif 000003
【図２】
2019198304.tif 000004
【図３】
2019198304.tif 000005
【図４】
2019198304.tif 000006
【図５】
2019198304.tif 000007
【図６】
2019198304.tif 000008
【図７】
2019198304.tif 000009
【図８】
2019198304.tif 000010
【図９】
2019198304.tif 000011
【図１０】
2019198304.tif 000012
【図１１】
2019198304.tif 000013
【図１２】
2019198304.tif 000014
【図１３】
2019198304.tif 000015
【図１４】
2019198304.tif 000016
【図１５】
2019198304.tif 000017
【図１６】
2019198304.tif 000018
【図１７】
2019198304.tif 000019
【図１８】
2019198304.tif 000020
【図１９】
2019198304.tif 000021
【図２０】
2019198304.tif 000022
【図２１】
2019198304.tif 000023
【図２２】
2019198304.tif 000024
【図２３】
2019198304.tif 000025